(57)【要約】【課題】取付具の変形を防止して外装材を安定して支持でき、ひいては、外装材同士の隙間から雨水が浸入する不具合を抑制できる外装材の取付具及び建物の外装構造を提供する。【解決手段】取付具１０は、構造体８に固定される固定部１５と、固定部１５から突出し、外装材２を支承する支承片１３と、支承片１３に設けられて第１方向に向き、外装材２を係止する第１係止片１１Ｌ、１１Ｒと、支承片１３に設けられて第１方向とは逆向きの第２方向に向き、外装材２を係止する第２係止片１２と、支承片１３に対して第１方向に設けられ、外装材２の裏面２Ｂと当接する第１当接部３１と、支承片１３に対して第２方向に設けられ、外装材２の裏面２Ｂと当接する第２当接部４２と、を備える。第２当接部４２は、支承片１３に向かって折り返されてなる折り返し部４０に形成されている。【選択図】図５
2018009325.tif 000002
【特許請求の範囲】
【請求項１】
建物を構成する構造体に対して外装材を取り付けるための取付具であって、
前記構造体に固定される固定部と、
前記固定部から突出し、外装材を支承する支承片と、
前記支承片に設けられて第１方向に向き、外装材を係止する第１係止片と、
前記支承片に設けられて前記第１方向とは逆向きの第２方向に向き、外装材を係止する第２係止片と、
前記支承片に対して前記第１方向に設けられ、外装材の裏面と当接する第１当接部と、
前記支承片に対して前記第２方向に設けられ、外装材の裏面と当接する第２当接部と、を備え、
前記第２当接部は、前記支承片に向かって折り返されてなる折り返し部に形成されていることを特徴とする外装材の取付具。
【請求項２】
前記第２当接部における前記第１方向に位置する端部は、前記支承片に当接する位置、又は前記支承片が撓んだ際に前記支承片に当接可能な位置に配置されている請求項１記載の外装材の取付具。
【請求項３】
前記折り返し部は、前記固定部における前記第２方向に位置する端部から前記第１方向に向かって折り返されている請求項１記載の外装材の取付具。
【請求項４】
前記支承片に対して前記第１方向に設けられ、前記固定部から膨出する膨出部をさらに備え、
前記第１当接部は、前記膨出部の先端面によって形成される第１面を含んでいる請求項１記載の外装材の取付具。
【請求項５】
前記固定部における前記第１方向に略直交する第３方向に位置する端部と、前記固定部における前記第３方向と逆向きの第４方向に位置する端部とが折り曲げられてなる一対の側板部をさらに備えている請求項１記載の外装材の取付具。
【請求項６】
前記第１当接部は、前記一対の側板部の先端縁によって形成されている第２面を含んでいる請求項５記載の外装材の取付具。
【請求項７】
前記第１当接部は、前記一対の側板部の先端側が前記第３方向又は前記第４方向に折り曲げられてなる第３面を含んでいる請求項５記載の外装材の取付具。
【請求項８】
前記一対の側板部の先端側は、前記第２当接部の前記第２方向側で前記第２当接部を支持する方向に延びている請求項５記載の外装材の取付具。
【請求項９】
前記第２当接部、及び前記第２当接部よりも前記第２方向に位置する部分の少なくとも一方に形成され、互いに隣接する２つの外装材の対向する端部同士の間に配置される立設片をさらに備えている請求項１記載の外装材の取付具。
【請求項１０】
外装材と、
建物を構成する構造体と、
前記構造体に対して外装材を取り付けるための取付具と、を備えた外装構造であって、
前記取付具は、前記構造体に固定される固定部と、
前記固定部から突出し、外装材を支承する支承片と、
前記支承片に設けられて第１方向に向き、外装材を係止する第１係止片と、
前記支承片に設けられて前記第１方向とは逆向きの第２方向に向き、外装材を係止する第２係止片と、
前記支承片に対して前記第１方向に設けられ、外装材の裏面と当接する第１当接部と、
前記支承片に対して前記第２方向に設けられ、外装材の裏面と当接する第２当接部と、を備え、
前記第２当接部は、前記支承片に向かって折り返されてなる折り返し部に形成されていることを特徴とする建物の外装構造。
【発明の詳細な説明】
【技術分野】
【０００１】
本発明は外装材の取付具及び建物の外装構造に関する。
【背景技術】
【０００２】
特許文献１〜４には従来の外装材の取付具が開示されている。各取付具は、構造体に固定される固定部と、外装材を支承する支承片とを備えている。
【０００３】
また、各取付具は、支承片に設けられて上に向き、外装材を係止する第１係止片と、支承片に設けられて下に向き、外装材を係止する第２係止片とを備えている。
【０００４】
さらに、各取付具は、支承片よりも上方に設けられ、外装材の裏面と当接する第１当接部と、支承片よりも下方に設けられ、外装材の裏面と当接する第２当接部とを備えている。
【０００５】
より詳しくは、特許文献１に開示の取付具では、固定部の一部が切り起こされることにより、支承片及び第１、２係止片が形成されるとともに、支承片の下方に開口部が形成されている。
【０００６】
特許文献２に開示の取付具では、固定部の下端部が折り曲げられることにより、支承片及び第１、２係止片が形成されている。第１当接部は、固定部における支承片よりも上方に形成されている。第２当接部は、固定部における支承片の直上に位置する小片が下向きに折り曲げられてなる。
【０００７】
特許文献３に開示の取付具では、特許文献３の図１等に図示されているように、固定部が上下２箇所で折り返されることにより、支承片が鋼板の２枚重ねで形成されている。第１係止片は、支承片を形成する２枚の鋼板のうちの上側の鋼板に形成されている。第２係止片は、支承片を形成する２枚の鋼板のうちの下側の鋼板に形成されている。第１、２当接部は、支承片を形成する２枚の鋼板である上側の鋼板及び下側の鋼板のそれぞれに、又は支承片を形成する２枚の鋼板の一方のみに、形成されている。
【０００８】
特許文献４に開示の取付具では、固定部の下部分から上向きにＵ字型に曲げられた曲げ部に、支承片、第１、２係止片及び第１、２当接部が形成されている。
【先行技術文献】
【特許文献】
【０００９】
【特許文献１】特開２００６−２６５８６４号公報
【特許文献２】特開２００５−２３２７１０号公報
【特許文献３】特開平１０−１４８０２４号公報
【特許文献４】特開２０００−８７５２９号公報
【発明の概要】
【発明が解決しようとする課題】
【００１０】
しかし、特許文献１に開示の取付具では、第２当接部が支承片の下方で、さらに開口部よりも下方に形成されるため、外装材を安定して支持できなくなるおそれがある。このため、開口部側面の当接部を開口部の下方に形成された第２当接部と一体化させる等の別途の手段を用いて外装材の支持を安定させる必要がある。
【００１１】
また、特許文献２に開示の取付具では、第２当接部が小さいため、外装材の裏面に当接する面積も小さくなり、その結果、外装材を安定して支持できなくなるおそれがある。このため、取付具の基準面から第２当接部までの厚さを調整する等の別途の手段を用いて外装材の支持を安定させる必要がある。
【００１２】
さらに、特許文献３に開示の取付具では、支承片が外装材を支承する際の負荷等によって、支承片を構成する２枚の鋼板がずれるように変形するおそれがあり、その結果、第１、２係止片がずれてしまうおそれがある。そして、ずれた第１、２係止片に外装材が係止されることにより、外装材の端部の破損や不陸が発生し易くなり、外装材を安定して支持できなくなるおそれがある。また、この取付具では、支承片の厚みは、２枚の鋼板の厚みと、鋼板同士の隙間との合計になっている。このため、支承片を挟む位置にある外装材同士の隙間が拡大し、雨水の浸入等の不具合が発生し易くなる。
【００１３】
また、特許文献４に開示の取付具では、Ｕ字型に曲げられた曲げ部に、支承片、第１、２係止片及び第１、２当接部が形成されているため、取付具全体としての強度を確保することが難しい。このため、取付具が変形し易く、外装材を安定して支持できなくなるおそれがある。
【００１４】
本発明は、上記従来の実情に鑑みてなされたものであって、取付具の変形を防止して外装材を安定して支持でき、ひいては、外装材同士の隙間から雨水が浸入する不具合を抑制できる外装材の取付具及び建物の外装構造を提供することを解決すべき課題としている。
【課題を解決するための手段】
【００１５】
本発明の第１の態様の外装材の取付具は、建物を構成する構造体に対して外装材を取り付けるための取付具であって、
前記構造体に固定される固定部と、
前記固定部から突出し、外装材を支承する支承片と、
前記支承片に設けられて第１方向に向き、外装材を係止する第１係止片と、
前記支承片に設けられて前記第１方向とは逆向きの第２方向に向き、外装材を係止する第２係止片と、
前記支承片に対して前記第１方向に設けられ、外装材の裏面と当接する第１当接部と、
前記支承片に対して前記第２方向に設けられ、外装材の裏面と当接する第２当接部と、を備え、
前記第２当接部は、前記支承片に向かって折り返されてなる折り返し部に形成されていることを特徴とする。
【００１６】
第１の態様の外装材の取付具では、支承片は固定部から突出し、第１、２係止片は支承片に設けられている。一方、第２当接部は、支承片に向かって折り返されてなる折り返し部に形成されている。このため、この取付具では、第２当接部の配置の自由度が高くなるので、第２当接部を支承片の近傍に配置し易い。この際、必要に応じて、第２当接部を取付具の中心線上に配置することもできる。
【００１７】
また、この取付具では、折り返し部を大きくし易いので、第２当接部も大きくできる。さらに、この取付具では、折り返し部によって、固定部における折り返し部に隣接する部分の周辺を補強できる。このため、取付具全体としての強度を確保し易い。
【００１８】
したがって、本発明の第１の態様の外装材の取付具では、自己の変形を防止して外装材を安定して支持でき、ひいては、外装材同士の隙間から雨水が浸入する不具合を抑制できる。
【００１９】
本発明の第２の態様として、第２当接部における第１方向に位置する端部は、支承片に当接する位置、又は支承片が撓んだ際に支承片に当接可能な位置に配置されていることが望ましい。
【００２０】
この場合、折り返し部に形成された第２当接部によって支承片を支持できるので、外装材を支持する際の負荷等によって、支承片が変形することを効果的に抑制できる。
【００２１】
本発明の第３の態様として、折り返し部は、固定部における第２方向に位置する端部から第１方向に向かって折り返されていることが望ましい。
【００２２】
この場合、折り返し部が第１、２方向に直交する方向で折り返される場合と比較して、折り返し部及び第２当接部を容易に形成できる。また、第２当接部を取付具の中心線上に容易に配置できる。その結果、この取付具では、外装材を一層安定して支持できる。
【００２３】
本発明の第４の態様として、外装材の取付具は、支承片に対して第１方向に設けられ、固定部から膨出する膨出部をさらに備えていることが望ましい。そして、第１当接部は、膨出部の先端面によって形成される第１面を含んでいることが望ましい。
【００２４】
この場合、膨出部によって、第１面の強度を向上させることができ、また、取付具全体としての強度も向上させることができる。さらに、取付具の中心線上に第１面を容易に配置できる。その結果、この取付具では、外装材を一層安定して支持できる。
【００２５】
本発明の第５の態様として、外装材の取付具は、固定部における第１方向に略直交する第３方向に位置する端部と、固定部における第３方向と逆向きの第４方向に位置する端部とが折り曲げられてなる一対の側板部をさらに備えていることが望ましい。
【００２６】
この場合、折り曲げられた一対の側板部によって、固定部を補強できるので、取付具全体としての強度を一層確保し易い。また、一対の側板部が固定部を側方から挟んで固定部の側端面を覆うので、取付具自体の美観が向上する。
【００２７】
本発明の第６の態様として、第１当接部は、一対の側板部の先端縁によって形成されている第２面を含んでいることが望ましい。
【００２８】
この場合、固定部から折り曲げられた側板部の厚みで第２面を形成し、第１当接部の少なくとも一部とすることができる。
【００２９】
本発明の第７の態様として、第１当接部は、一対の側板部の先端側が第３方向又は第４方向に折り曲げられてなる第３面を含んでいることが望ましい。
【００３０】
この場合、側板部の先端側の折り曲げにより、側板部の厚みで形成される第２面よりも大面積の第３面を形成し、第１当接部の少なくとも一部とすることができる。
【００３１】
本発明の第８の態様として、一対の側板部の先端側は、第２当接部の第２方向側で第２当接部を支持する方向に延びていることが望ましい。
【００３２】
この場合、一対の側板部の先端側における第２当接部の第２方向側で第２当接部を支持する方向に延びる部位によって、第２当接部を支持することができ、第２当接部の変形を抑制できる。したがって、外装材を安定して支持できる。
【００３３】
本発明の第９の態様として、外装材の取付具は、第２当接部、及び第２当接部よりも第２方向に位置する部分の少なくとも一方に形成され、互いに隣接する２つの外装材の対向する端部同士の間に配置される立設片をさらに備えていることが望ましい。
【００３４】
この場合、立設片により、外装材のズレを防止できる。また、立設片の配置の自由度が高くなるので、立設片を支承片の近傍に配置し易い。
【００３５】
本発明の第１０の態様として、建物の外装構造は、外装材と、
建物を構成する構造体と、
前記構造体に対して外装材を取り付けるための取付具と、を備えた外装構造であって、
前記取付具は、前記構造体に固定される固定部と、
前記固定部から突出し、外装材を支承する支承片と、
前記支承片に設けられて第１方向に向き、外装材を係止する第１係止片と、
前記支承片に設けられて前記第１方向とは逆向きの第２方向に向き、外装材を係止する第２係止片と、
前記支承片に対して前記第１方向に設けられ、外装材の裏面と当接する第１当接部と、
前記支承片に対して前記第２方向に設けられ、外装材の裏面と当接する第２当接部と、を備え、
前記第２当接部は、前記支承片に向かって折り返されてなる折り返し部に形成されていることを特徴とする。
【００３６】
本発明の第１０の態様として、建物の外装構造では、第１の態様の取付具が奏する作用効果によって、取付具の変形を防止して外装材を安定して支持でき、ひいては、外装材同士の隙間から雨水が浸入する不具合を抑制できる。
【発明の効果】
【００３７】
本発明の外装材の取付具及び建物の外装構造では、取付具の変形を防止して外装材を安定して支持でき、ひいては、外装材同士の隙間から雨水が浸入する不具合を抑制できる。
【図面の簡単な説明】
【００３８】
【図１】図１は、実施の形態１の建物の外装構造の斜視図である。
【図２】図２は、実施の形態１の外壁板の斜視図である。
【図３】図３は、実施の形態１に係り、隣接する外壁板同士の組み付け構成を示す部分斜視図である。
【図４】図４は、実施の形態１に係り、第１〜４外壁板と取付具との相対位置関係を示す正面図である。
【図５】図５は、実施の形態１に係り、取付具の斜視図である。
【図６】図６は、実施の形態１に係り、取付具の正面図である。
【図７】図７は、実施の形態１に係り、取付具の上面図である。
【図８】図８は、実施の形態１に係り、取付具の側面図である。
【図９】図９は、図７のＩＸ−ＩＸ断面を示す断面図である。
【図１０】図１０は、図７のＸ−Ｘ断面を示す断面図である。
【図１１】図１１は、図７のＸＩ−ＸＩ断面を示す断面図である。
【図１２】図１２は、実施の形態１に係り、取付具に形成される前の鋼板の展開図である。
【図１３】図１３は、実施の形態１に係り、取付具と第１、３外壁板との位置合わせ方法を示す部分斜視図である。
【図１４】図１４は、実施の形態１に係り、取付具を用いた第１、３外壁板の取り付け構成を示す部分斜視図である。
【図１５】図１５は、実施の形態１に係り、取付具を用いた第１〜３外壁板の取り付け構成を示す部分斜視図である。
【図１６】図１６は、図１４のＸＶＩ−ＸＶＩ断面を示す部分断面図である。
【図１７】図１７は、図１６のＸＶＩＩ−ＸＶＩＩ断面を示す部分断面図である。
【図１８】図１８は、実施の形態２の取付具の斜視図である。
【図１９】図１９は、実施の形態３の取付具の斜視図である。
【図２０】図２０は、実施の形態４の取付具の斜視図である。
【図２１】図２１は、実施の形態５の取付具の斜視図である。
【発明を実施するための形態】
【００３９】
以下、本発明を具体化した実施の形態１〜５を図面を参照しつつ説明する。なお、図１において、垂直上方向を上と表示し、垂直下方向を下と表示する。また、図１の屋外から屋内に向う方向において水平左方向を左と表示し、水平右方向を右と表示する。そして、図２以降の各図に示す各方向は、図１に対応させて表示する。
【００４０】
（実施の形態１）
図１に示すように、実施の形態１の外装構造は、外装構造の具体的態様の一例である。この外装構造は、住宅、施設、倉庫等の建物を構成する木造の構造体８に対し、図２〜図４等に示す複数の外壁板２を取り付けたものである。外壁板２は、「外装材」の一例である。外壁板２は、それ自体が高い強度や剛性を有して建物の外壁を構成する板材である。なお、外装材は外壁板に限定されず、例えば、表面に意匠性の高い化粧面を有する化粧板等であってもよい。
【００４１】
図１に示すように、本実施の形態では、構造体８は、木造軸組構法によって建築されるものである。構造体８は、複数の構造部材によって構成される。構造部材には、左右方向に所定の間隔を有して並ぶ複数の柱材９等の他、柱材９間に配置される間柱等の補助部材も含まれる。各柱材９の屋外方向を向く外面には、胴縁と呼ばれる支持部材７が図示しない止めネジや釘等によって固定されている。この支持部材７も構造部材に含まれる。各柱材９と支持部材７との間には、防水シート６が敷設されている。なお、構造体８は、本実施の形態の構成に限定されず、木造枠組壁構法等によって建築されてもよい。また、外装構造に外装される構造体は、例えば、鉄骨造、鉄筋コンクリート造、レンガ造等の躯体であってもよい。
【００４２】
図４に示すように、取付具１０は、構造部材としての各柱材９に固定されて、構造体８に対し、複数の外壁板２を上下方向及び左右方向に隣接するように取り付けるためのものである。取付具１０は、各柱材９に対して上下方向に複数並んで設けられている。
【００４３】
図５〜図１２に示すように、取付具１０は、鉄やステンレススチール等の金属板が打ち抜き加工、プレス加工及び折り曲げ加工等されることによって製造される。なお、取付具１０の材質や製造方法は上記に限定されず、各種の材料や、製造方法を適宜選択できる。
【００４４】
図１３〜図１７に示すように、取付具１０は、各柱材９にネジ１０Ｂによって固定されているが、この構成には限定されない。取付具１０は、例えば、柱材９に釘等の他の締結具によって固定されてもよいし、図１に示す支持部材７等を介して、柱材９に間接的に取り付けられてもよい。
【００４５】
ここで、取付具１０の姿勢について、図４及び図１４等に示すように、取付具１０の固定部１５が柱材９に固定された固定状態を基準とする。具体的には、取付具１０の表側は、屋外方向を向き、取付具１０の裏側は、屋内方向を向く。取付具１０の幅方向は、左右方向となる。また、本実施の形態において、第１方向は、上向きの方向である。第１方向とは逆向きの第２方向は、下向きの方向である。第１方向に略直交する第３方向は、左向きの方向である。第３方向とは逆向きの第４方向は、右向きの方向である。
【００４６】
図５〜図１１に示すように、取付具１０は、固定部１５、膨出部３０、支承片１３、第１係止片１１Ｌ、１１Ｒ、第２係止片１２、折り返し部４０、一対の側板部３８Ｌ、３８Ｒ、第１当接部３１、第２当接部４２及び立設片４９を備えている。
【００４７】
図１２は、取付具１０がプレス加工及び折り曲げ加工等される前の鋼板材料の形状、つまり、取付具１０の展開図を示している。破線は山折りされる箇所を示している。一点鎖線は谷折りされる箇所を示している。二点鎖線はプレス加工によって膨出する領域を示している。
【００４８】
図５〜図１１に示すように、固定部１５は、金属板がプレス加工されてなる膨出部３０と、図１２の展開図に示すように膨出部３０よりも下方の位置に形成された開口部１５Ｍとを囲みつつ、平坦な状態を維持する板状部分である。開口部１５Ｍは、図１２に示す略Ｕ字状の切欠部１５Ｃの内側の板部分が表側に向かって折り曲げられることによって、図６に破線で示すように、略矩形状に開口している。
【００４９】
固定部１５の上端部１５Ｕ、下端部１５Ｄ、左端部１５Ｌ及び右端部１５Ｒは、取付具１０における幅方向の中央で上下方向に延びる中心線Ｃ１を対称軸とする略矩形環状の周縁部を形成している。図８等に示すように、柱材９等と接触する取付具１０の裏側を向く面は、固定部１５の基準面１５Ｓとされている。
【００５０】
図５〜図１１に示すように、膨出部３０は、固定部１５から表側に向かって略矩形環状をなして膨出している。膨出部３０に包囲された被包囲部１５Ｂも、固定部１５の一部とされている。被包囲部１５Ｂには、複数の固定孔１５Ｈが左右方向に並んで貫設されている。固定孔１５Ｈは、ネジ１０Ｂが挿通されて取付具１０を柱材９等に固定するためのものである。膨出部３０の上辺を構成する斜面には、複数の固定孔１５Ｊが左右方向に並んで貫設されている。固定孔１５Ｊは、固定孔１５Ｈよりも小径であり、取付具１０を柱材９等に固定するためのネジや釘等の締結具が挿通される。
【００５１】
膨出部３０の下辺、左辺及び右辺を構成する先端面によって、固定部１５の基準面１５Ｓと平行に延在する第１面３１Ａが形成されている。第１面３１Ａは、第１当接部３１の一部を構成している。
【００５２】
支承片１３は、図１２に示す切欠部１５Ｃの内側に位置する板状部分が折り曲げられることにより、形成されている。図５〜図１１に示すように、支承片１３は、固定部１５における開口部１５Ｍの上辺に隣接する位置、かつ膨出部３０よりも下方の位置から表側に向かって突出し、かつ、左右方向に延在している。
【００５３】
図５〜図９に示すように、第１係止片１１Ｌ、１１Ｒは、支承片１３の先端縁の左部分及び右部分に接続して上向きに屈曲している。図５〜図８及び図１０に示すように、第２係止片１２は、支承片１３の先端縁の中央部分に接続して下向きに屈曲している。
【００５４】
図５〜図１１に示すように、支承片１３には、複数の突起部１７が左右方向に並んで形成されている。各突起部１７は、支承片１３から上向きに突出する略台形状の凸部である。
【００５５】
また、支承片１３には、保持片１８Ｌ、１８Ｒが設けられている。左方の保持片１８Ｌは、左方の第１係止片１１Ｌと第２係止片１２との間で上向きに屈曲する小片である。右方の保持片１８Ｒは、右方の第１係止片１１Ｒと第２係止片１２との間で上向きに屈曲する小片である。
【００５６】
図５及び図１１に示すように、保持片１８Ｌ、１８Ｒには、弾性体１８が両面テープ等によって貼り付けられている。図１１に示すように、弾性体１８は、保持片１８Ｌ、１８Ｒのそれぞれと、支承片１３の上を向く面の一部とを覆い、固定部１５に当接している。また、弾性体１８はなくてもよい。
【００５７】
折り返し部４０は、屈曲部４１を有している。図１２の展開図に示すように、固定部１５の下端部１５Ｄには、折り返し部４０となる略矩形板状部分が接続している。屈曲部４１は、その略矩形板状部分が固定部１５の下端部１５Ｄから上方に向かって折り返えされることによって形成される略Ｕ字状の屈曲部分である。
【００５８】
折り返し部４０は、屈曲部４１から支承片１３に接近するように上向きに延在し、かつ左右方向に延在している。
【００５９】
折り返し部４０の上側部分には、クランク部４３及び第２当接部４２が形成されている。クランク部４３は、支承片１３から下方に離間する位置で、取付具１０の表側に向かって折り曲げられた部分である。第２当接部４２は、クランク部４３から上向きに折り曲げられた部分である。第２当接部４２は、支承片１３に接近するように上向きに延在し、かつ左右方向に延在している。第２当接部４２の表面は、基準面１５Ｓと平行に延在している。図６等に示すように、第２当接部４２の横幅は、支承片１３の横幅より大きい。
【００６０】
図１１に示すように、第２当接部４２の上端部４２Ｕと、支承片１３の下面との間隔Ｗ１は、本実施の形態では、約０．１ｍｍ〜約１ｍｍ程度に設定されている。より詳しくは、間隔Ｗ１は、支承片１３が外壁板２を支承することによって下方に撓む場合に、第２当接部４２の上端部４２Ｕがその支承片１３の下面に当接可能な大きさに設定されている。これにより、折り返し部４０に形成された第２当接部４２は、支承片１３を補強する。なお、間隔Ｗ１をゼロとして、第２当接部４２の上端部４２Ｕが支承片１３の下面に当接する位置に配置される構成とすることもできる。
【００６１】
図６及び図８等に示すように、折り返し部４０の屈曲部４１からクランク部４３までの部分は、開口部１５Ｍの下側部分を覆いつつ固定部１５の周縁部に隣接している。これにより、折り返し部４０は、固定部１５における開口部１５Ｍの周辺を補強する。
【００６２】
図５〜図８に示すように、左方の側板部３８Ｌは、固定部１５の左端部１５Ｌが折り曲げられて形成されている。右方の側板部３８Ｒは、固定部１５の右端部１５Ｒが折り曲げられて形成されている。側板部３８Ｌ、３８Ｒは、取付具１０の表側に向かって突出し、かつ、上下方向に延在している。
【００６３】
側板部３８Ｌ、３８Ｒの先端縁であって支承片１３よりも上方に位置する部分は、固定部１５の基準面１５Ｓと平行に延在する第２面３１Ｂである。第２面３１Ｂは、第１面３１Ａと略面一とされている。第２面３１Ｂは、第１面３１Ａとともに第１当接部３１を構成している。
【００６４】
なお、側板部３８Ｌ、３８Ｒの先端縁であって支承片１３よりも下方に位置する部分は、第２当接部４２の表面と略面一とされて、第２当接部４２とともに、外壁板２の裏面２Ｂと当接するようにしてもよい。
【００６５】
立設片４９は、取付具１０の第２当接部４２よりも下方に位置する部分に形成されている。より詳しくは、折り返し部４０の屈曲部４１からクランク部４３までの部分の中央よりもやや左寄りの位置に、図１２に示す略Ｃ字状溝４９Ｃが形成され、その略Ｃ字状溝４９Ｃの内側の板状片が取付具１０の表側に向かって切り起こされることにより、図５等に示す立設片４９が形成されている。また、第２当接部４２の面積が第２方向に向かって大きい場合は、第２当接部４２の一部を切り起こして立設片４９を形成することもできる。
【００６６】
図６に示すように、立設片４９は、取付具１０における幅方向の中央、すなわち、中心線Ｃ１上に配置されている。
【００６７】
図１、図２及び図４等に示すように、各外壁板２は、四辺形状、より具体的には、左右方向に長い略矩形状の板材である。本実施の形態では、外壁板２は、セメントを含む窯業系材料からなる。なお、外壁板２の材質や形状は上記には限定されない。例えば、材質は金属系材、木質系材、樹脂系材等を適宜選択でき、形状は四辺形状で上下に長い略矩形形状の板材等を適宜選択できる。
【００６８】
図１、図４及び図１５等に示すように、各外壁板２は、上下方向及び左右方向に隣接する状態で、防水シート６及び支持部材７よりも構造体８の外側に配置されて、構造体８の外面８Ｆを覆う。
【００６９】
図２及び図３に示すように、外壁板２の表面２Ｆは、例えばレンガ柄等のデザインが施された外装面となっている。外壁板２の左端部には、表側左右接合部２１が形成されている。各外壁板２の右端部には、裏側左右接合部２２が形成されている。各外壁板２の下端部には、表側上下接合部２３が形成されている。各外壁板２の上端部には、裏側上下接合部２４が形成されている。
【００７０】
なお、図２では、外壁板２の大きさに対して、表側左右接合部２１、裏側左右接合部２２、表側上下接合部２３及び裏側上下接合部２４の大きさが大きく誇張して図示されている。
【００７１】
表側左右接合部２１は、外壁板２の裏面２Ｂから表面２Ｆに向かって段状に凹み、上下方向、すなわち、外壁板２の左端部に沿って延在している。
【００７２】
裏側左右接合部２２は、外壁板２の表面２Ｆから裏面２Ｂに向かって段状に凹み、上下方向、すなわち、外壁板２の右端部に沿って延在している。裏側左右接合部２２における屋外方向を向く平坦面には、コーキング２２Ｓが設けられている。コーキング２２Ｓは、裏側左右接合部２２に沿って直線状に配設されている。なお、コーキングは必須ではなく、本実施の形態のコーキング２２Ｓを省略することもできる。
【００７３】
表側上下接合部２３は、外壁板２の裏面２Ｂから表面２Ｆに向かって段状に凹み、左右方向、すなわち、外壁板２の下端部に沿って延在している。表側上下接合部２３には、上向きに略テーパ状に凹む係合凹部２３Ａが形成されている。
【００７４】
裏側上下接合部２４は、外壁板２の表面２Ｆから裏面２Ｂに向かって段状に凹み、左右方向、すなわち、外壁板２の上端部に沿って延在している。裏側上下接合部２４における屋外方向を向く平坦面には、コーキング２４Ｓが設けられている。コーキング２４Ｓは、裏側上下接合部２４に沿って直線状に配設されている。なお、コーキングは必須ではなく、本実施の形態のコーキング２４Ｓを省略することもできる。裏側上下接合部２４には、コーキング２４Ｓよりも上方において上向きに略テーパ状に突出する係合凸部２４Ａが形成されている。
【００７５】
図４及び図１３〜図１６に示すように、表側左右接合部２１と裏側左右接合部２２とが重なり合うことによって、左右方向に隣接する外壁板２同士の間に、第１合決り部２６が形成される。図４、図１５及び図１７に示すように、表側上下接合部２３と裏側上下接合部２４とが重なり合うことによって、上下方向に隣接する外壁板２同士の間に、第２合決り部２５が形成される。
【００７６】
すなわち、各外壁板２は、表側左右接合部２１、裏側左右接合部２２、表側上下接合部２３及び裏側上下接合部２４を備える、いわゆる「四方合い決り構造」の板材であり、表側左右接合部２１、裏側左右接合部２２、表側上下接合部２３及び裏側上下接合部２４が重なり合って第１合決り部２６及び第２合決り部２５が形成される。
【００７７】
ここで、図４等に示すように、各外壁板２のうちの任意の１枚の外壁板２を第１外壁板２Ａ１とし、第１外壁板２Ａ１に対して以下の関係にある３枚の外壁板２を第２外壁板２Ａ２、第３外壁板２Ａ３及び第４外壁板２Ａ４とする。第２外壁板２Ａ２は、第１外壁板２Ａ１に対して上方から隣接している。第３外壁板２Ａ３は、第１外壁板２Ａ１に対して右方から隣接している。第４外壁板２Ａ４は、第３外壁板２Ａ３に対して上方から隣接し、かつ、第２外壁板２Ａ２に対して右方から隣接している。
【００７８】
このような構成である各外壁板２は、以下のようにして、各取付具１０に支持される。
【００７９】
図１に示すように、初めに、構造体８の外面８Ｆの最も下方の位置に、複数の外壁板２を左右方向に隣接させた状態で取り付ける。この際、それらの外壁板２の下端部は、構造体８の外面８Ｆの最下部に配置されて左右方向に延びる下端支持部材５５に係止される。左右方向に隣接する外壁板２を第１外壁板２Ａ１及び第３外壁板２Ａ３とする。
【００８０】
次に、図１３に示すように、取付具１０の基準面１５Ｓを柱材９に当接させながら、取付具１０を下方に移動させ、第１、３外壁板２Ａ１、２Ａ３の第１合決り部２６に、取付具１０の立設片４９を上方から挿入する。そして、図１４及び図１６に示すように、ネジ１０Ｂを固定孔１５Ｈに挿通し、柱材９にねじ込むことにより、取付具１０は、柱材９に固定された固定状態となる。
【００８１】
これにより、第１、３外壁板２Ａ１、２Ａ３の裏側上下接合部２４の係合凸部２４Ａは、取付具１０の第２係止片１２によって係止される。また、第１、３外壁板２Ａ１、２Ａ３のそれぞれの裏面２Ｂには、取付具１０の第２当接部４２が当接する。これにより、第１、３外壁板２Ａ１、２Ａ３は、屋内方向に向かって位置ずれしないように規制される。その結果、図１６及び図１７に示すように、構造体８と第１、３外壁板２Ａ１、２Ａ３の裏面２Ｂとの間に、通気空間Ｓ１が確保される。
【００８２】
こうして、取付具１０は、固定状態において、第１、３外壁板２Ａ１、２Ａ３の上端部を支持する。また、取付具１０の立設片４９は、固定状態において、第１、３外壁板２Ａ１、２Ａ３の左右方向において対向する端部同士の間に配置され、第１、３外壁板２Ａ１、２Ａ３の横ズレを防止する。
【００８３】
次に、図１５及び図１７に示すように、第１、３外壁板２Ａ１、２Ａ３の上方に、第２、４外壁板２Ａ２、２Ａ４を左右方向に隣接させた状態で取り付ける。
【００８４】
これにより、第２、４外壁板２Ａ２、２Ａ４の表側上下接合部２３の係合凹部２３Ａは、取付具１０の第１係止片１１Ｌ、１１Ｒによって係止される。
【００８５】
この際、図９及び図１０に示すように、支承片１３に形成されている各突起部１７が２、４外壁板２Ａ２、２Ａ４の下端部に下方から接触することによって、支承片１３が第２、４外壁板２Ａ２、２Ａ４を支承する。
【００８６】
また、図１７に示すように、左方の第１係止片１１Ｌに隣接する弾性体１８は、第２外壁板２Ａ２の下端に当接して圧縮変形する。図示は省略するが、右方の第１係止片１１Ｒに隣接する弾性体１８も同様に、第４外壁板２Ａ４の下端に当接して圧縮変形する。このような左右の弾性体１８により、第２外壁板２Ａ２と支承片１３との間、及び第４外壁板２Ａ４と支承片１３との間がシールされる。
【００８７】
また、第２、４外壁板２Ａ２、２Ａ４のそれぞれの裏面２Ｂには、取付具１０の第１当接部３１、より詳しくは、膨出部３０の第１面３１Ａ、及び側板部３８Ｌ、３８Ｒの第２面３１Ｂが当接する。これにより、第２、４外壁板２Ａ２、２Ａ４は、屋内方向に向かって位置ずれしないように規制される。その結果、構造体８と第２、４外壁板２Ａ２、２Ａ４の裏面２Ｂとの間にも、通気空間Ｓ１が確保される。
【００８８】
こうして、取付具１０は、固定状態において、第２、４外壁板２Ａ２、２Ａ４を支持する。図示は省略するが、第２、４外壁板２Ａ２、２Ａ４の上端部は、別の取付具１０によって、上述した手順で柱材９に支持される。このような作業を他の外壁板２についても実施することにより、各外壁板２は、上下方向及び左右方向に隣接する状態で、各柱材９に支持され、構造体８の外面８Ｆを覆う。
【００８９】
なお、図４において、左右方向に並ぶ任意の２つの取付具１０の間に、追加的に他の取付具を配置して、上下方向に隣接する外壁板２同士をより強固に支持させてもよい。
【００９０】
＜作用効果＞
実施の形態１の取付具１０では、図５〜図１０等に示すように、支承片１３は固定部１５から突出し、第１係止片１１Ｌ、１１Ｒ及び第２係止片１２は支承片１３の先端縁に設けられている。一方、第２当接部４２は、支承片１３に向かって折り返されてなる折り返し部４０に形成されている。このため、この取付具１０では、仮に第２当接部４２が固定部１５に形成される場合と比較して、第２当接部４２の配置の自由度が高くなるので、第２当接部４２を支承片１３の近傍に配置し易い。この際、必要に応じて、第２当接部４２を取付具１０の中心線Ｃ１上に配置することもできる。
【００９１】
また、この取付具１０では、図５及び図６等に示すように、折り返し部４０を大きくし易いので、第２当接部４２も大きくできる。さらに、この取付具１０では、折り返し部４０によって、固定部１５における折り返し部４０に隣接する部分の周辺を補強できる。より詳しくは、図５、図６及び図８等に示すように、折り返し部４０の屈曲部４１からクランク部４３までの部分は、開口部１５Ｍの下側部分を覆いつつ固定部１５の周縁部に隣接している。これにより、折り返し部４０は、固定部１５における開口部１５Ｍの周辺を補強している。このため、取付具１０全体としての強度を確保し易い。
【００９２】
したがって、実施の形態１の取付具１０及び外装構造では、取付具１０の変形を防止して外壁板２を安定して支持でき、ひいては、外壁板２同士の隙間から雨水が浸入する不具合を抑制できる。
【００９３】
また、この取付具１０では、図１１及び図１７に示すように、第２当接部４２の上端部４２Ｕと、支承片１３の下面との間隔Ｗ１が約０．１ｍｍ〜約１ｍｍ程度に設定されることにより、支承片１３が外壁板２を支承することによって下方に撓む場合に、第２当接部４２の上端部４２Ｕがその支承片１３の下面に当接可能な位置に配置されている。また、間隔Ｗ１をゼロとして第２当接部４２の上端部４２Ｕが支承片１３の下面に当接する位置に配置される構成とすることもできる。これにより、折り返し部４０に形成された第２当接部４２によって支承片１３を支持できる。その結果、この取付具１０では、外壁板２を支持する際の負荷等によって、支承片１３が変形することを効果的に抑制できる。
【００９４】
さらに、この取付具１０では、図５等に示すように、折り返し部４０は、固定部１５の下端部１５Ｄから上方に向かって折り返される屈曲部４１を有している。これにより、この取付具１０では、仮に折り返し部４０が固定部１５の左端部１５Ｌから右向きに、又は固定部１５の右端部１５Ｒから左向きに折り返される場合と比較して、固定部１５の開口部１５ｍ周囲の補強が容易にでき、第２当接部４２も容易に形成できる。また、第２当接部４２を取付具１０の中心線Ｃ１上に容易に配置できる。その結果、この取付具１０では、外壁板２を一層安定して支持できる。
【００９５】
また、この取付具１０では、図５等に示すように、第１当接部３１の第１面３１Ａがプレス加工により形成された膨出部３０の先端面によって形成されているので、第１面３１Ａの強度を向上させることができ、また、取付具１０全体としての強度も向上させることができる。さらに、取付具１０の中心線Ｃ１上に第１面３１Ａを容易に配置できるので、外壁板２の裏面２Ｂ側の支持が偏心して偏らないため一層安定する。
【００９６】
さらに、この取付具１０は、図５等に示すように、固定部１５の左端部１５Ｌ及び右端部１５Ｒが折り曲げられてなる一対の側板部３８Ｌ、３８Ｒによって、固定部１５を補強できるので、取付具１０全体としての強度を一層確保し易い。また、側板部３８Ｌ、３８Ｒが固定部１５を側方から挟んで固定部１５の側端面を覆うので、取付具１０自体の美観が向上する。
【００９７】
また、この取付具１０では、図５等に示すように、第１当接部３１の第２面３１Ｂが側板部３８Ｌ、３８Ｒの先端縁に形成されている。つまり、固定部１５から折り曲げられた側板部３８Ｌ、３８Ｒの鋼板の厚みで第２面３１Ｂを形成し、第１当接部３１の一部としているので、製造工程の簡素化を実現できる。
【００９８】
さらに、この取付具１０では、図５、図１３及び図１７に示すように、折り返し部４０に形成された立設片４９により、外壁板２のズレを防止できる。また、仮に立設片４９が固定部１５に形成される場合と比較して、立設片４９の配置の自由度が高くなるので、立設片４９を支承片１３の近傍に配置し易い。
【００９９】
（実施の形態２）
図１８に示すように、実施の形態２の取付具２１０では、実施の形態１の取付具１０に係る膨出部３０を膨出部２３０Ａ、２３０Ｂ、２３０Ｃに変更している。また、この取付具２１０では、左方の側板部３８Ｌの先端側が左方に折り曲げられるとともに、右方の側板部３８Ｒの先端側が右方に折り曲げられている。そして、この取付具２１０では、実施の形態１に係る第１当接部３１を第１当接部２３１に変更している。また、この取付具２１０では、実施の形態１に係る立設片４９を省略している。実施の形態２のその他の構成は、実施の形態１と同様である。このため、実施の形態１と同一の構成については同一の符号を付して説明を省略又は簡略する。
【０１００】
膨出部２３０Ａは、支承片１３よりも上方の位置で固定部１５から表側に向けて膨出し、かつ左右方向に延在している。膨出部２３０Ｂは、膨出部２３０Ａよりも上方の位置で固定部１５から表側に向けて膨出し、かつ左右方向に延在している。膨出部２３０Ｃは、膨出部２３０Ａと膨出部２３０Ｂとの間に複数本形成されている。各膨出部２３０Ｃは、固定部１５から表側に向けて膨出し、かつ上下方向に延在して、膨出部２３０Ａ、２３０Ｂに接続している。
【０１０１】
膨出部２３０Ａの先端面によって、固定部１５の基準面１５Ｓと平行に延在する第１面２３１Ａが形成されている。第１面２３１Ａは、第１当接部２３１の一部を構成している。
【０１０２】
左方の側板部３８Ｌの先端側が左方に折り曲げられた部分の表面であって、支承片１３よりも上方に位置する部分と、右方の側板部３８Ｒの先端側が右方に折り曲げられた部分の表面であって、支承片１３よりも上方に位置する部分とによって、固定部１５の基準面１５Ｓと平行に延在する第３面２３１Ｃが形成されている。第３面２３１Ｃは、第１面２３１Ａと略面一とされている。第３面２３１Ｃは、第１面２３１Ａとともに第１当接部２３１を構成している。
【０１０３】
なお、左方の側板部３８Ｌの先端側が左方に折り曲げられた部分の表面であって、支承片１３よりも下方に位置する部分と、右方の側板部３８Ｒの先端側が右方に折り曲げられた部分の表面であって、支承片１３よりも下方に位置する部分は、第２当接部４２の表面と略面一とされて、第２当接部４２とともに、外壁板２の裏面２Ｂと当接するようにしてもよい。
【０１０４】
このような構成である実施の形態２の取付具２１０及び外装構造でも、実施の形態１の取付具１０及び外装構造と同様に、取付具２１０の変形を防止して外壁板２を安定して支持でき、ひいては、外壁板２同士の隙間から雨水が浸入する不具合を抑制できる。
【０１０５】
また、この取付具２１０では、側板部３８Ｌ、３８Ｒの先端側の折り曲げにより、実施の形態１に係る側板部３８Ｌ、３８Ｒの鋼板の厚みで形成される第２面３１Ｂと比較して、大面積の第３面２３１Ｃを形成し、第１当接部２３１の一部とすることができる。その結果、第１当接部２３１によって、外壁板２の裏面２Ｂを一層効果的に支持できる。
【０１０６】
（実施の形態３）
図１９に示すように、実施の形態３の取付具３１０では、実施の形態１の取付具１０に係る側板部３８Ｌ、３８Ｒの先端側に支持部３３７Ｌ、３３７Ｒを形成している。実施の形態３のその他の構成は、実施の形態１と同様である。このため、実施の形態１と同一の構成については同一の符号を付して説明を省略又は簡略する。
【０１０７】
左方の側板部３８Ｌの先端側における第２当接部４２よりも下方に位置する部分が右方に折り曲げられ、第２当接部４２を支持する方向に延びることにより、支持部３３７Ｌが形成されている。右方の側板部３８Ｒの先端側における第２当接部４２よりも下方に位置する部分が左方に折り曲げられ、第２当接部４２を支持する方向に延びることにより、支持部３３７Ｒが形成されている。
【０１０８】
左方の支持部３３７Ｌの上端部３３７ＬＵと、右方の支持部３３７Ｒの上端部３３７ＲＵとは、折り返し部４０のクランク部４３に当接する位置、又は、クランク部４３との間に約０．１ｍｍ〜約１ｍｍ程度の間隔を確保し、外壁板２を支承することによってクランク部４３が撓む場合に左方の支持部３３７Ｌの上端部３３７ＬＵと、右方の支持部３３７Ｒの上端部３３７ＲＵとがクランク部４３に当接可能な位置に配置されている。
【０１０９】
このような構成である実施の形態３の取付具３１０及び外装構造でも、実施の形態１、２の取付具１０、２１０及び外装構造と同様に、取付具３１０の変形を防止して外壁板２を安定して支持でき、ひいては、外壁板２同士の隙間から雨水が浸入する不具合を抑制できる。
【０１１０】
また、この取付具３１０では、支持部３３７Ｌ、３３７Ｒによって、クランク部４３を介して第２当接部４２を支持し、第２当接部４２の変形を抑制できる。その結果、第２当接部４２によって、外壁板２の裏面２Ｂを一層効果的に支持できる。
【０１１１】
（実施の形態４）
図２０に示すように、実施の形態４の取付具４１０では、実施の形態１の取付具１０に係る折り返し部４０、第２当接部４２及び立設片４９を省略し、その代わりに、側板部３８Ｌ、３８Ｒの先端側に第２当接部４４２Ｌ、４４２Ｒを形成している。実施の形態４のその他の構成は、実施の形態１と同様である。このため、実施の形態１と同一の構成については同一の符号を付して説明を省略又は簡略する。
【０１１２】
左方の側板部３８Ｌの先端側における支承片１３よりも下方に位置する部分が右方に折り曲げられ、支承片１３を支持する方向に延びることにより、第２当接部４４２Ｌが形成されている。右方の側板部３８Ｒの先端側における支承片１３よりも下方に位置する部分が左方に折り曲げられ、支承片１３を支持する方向に延びることにより、第２当接部４４２Ｒが形成されている。左方の第２当接部４４２Ｌの右端部と、右方の第２当接部４４２Ｒの左端部とは、取付具４１０の幅方向の中央で対向している。第２当接部４４２Ｌ、４４２Ｒの表面は、基準面１５Ｓと平行に延在して、外壁板２の裏面２Ｂと当接可能となっている。また、図示はしないが、第２当接部４４２Ｌ、４４２Ｒの向き合う端部の一方を立設片４９の突出長さ分延ばし、中央部にて表側に折り曲げて立設片４９を形成してもよい。
【０１１３】
左方の第２当接部４４２Ｌの上端部４４２ＬＵと、右方の第２当接部４４２Ｒの上端部４４２ＲＵとは、支承片１３の下面に当接する位置、又は、支承片１３の下面との間に約０．１ｍｍ〜約１ｍｍ程度の間隔を確保し、支承片１３が外壁板２を支承することによって下方に撓む場合に左方の第２当接部４４２Ｌの上端部４４２ＬＵと右方の第２当接部４４２Ｒの上端部４４２ＲＵとが支承片１３の下面に当接可能な位置に配置され、支承片１３を支持している。
【０１１４】
このような構成である実施の形態４の取付具４１０及び外装構造でも、実施の形態１〜３の取付具１０、２１０、３１０及び外装構造と同様に、取付具４１０の変形を防止して外壁板２を安定して支持でき、ひいては、外壁板２同士の隙間から雨水が浸入する不具合を抑制できる。
【０１１５】
（実施の形態５）
図２１に示すように、実施の形態５の取付具５１０では、実施の形態１の取付具１０に係る折り返し部４０、第２当接部４２及び立設片４９を省略し、その代わりに、左方の側板部３８Ｌの先端側に第２当接部５４２を形成している。実施の形態５のその他の構成は、実施の形態１と同様である。このため、実施の形態１と同一の構成については同一の符号を付して説明を省略又は簡略する。また、図示はしないが第２当接部５４２の一部を切り起こして立設片４９を形成してもよい。
【０１１６】
左方の側板部３８Ｌの先端側における支承片１３よりも下方に位置する部分が右方に折り曲げられ、支承片１３に向かって延びることにより、第２当接部５４２が形成されている。第２当接部５４２の右端部は、右方の側板部３８Ｒの近傍に位置している。第２当接部５４２の表面は、基準面１５Ｓと平行に延在して、外壁板２の裏面２Ｂと当接可能となっている。
【０１１７】
第２当接部５４２の上端部５４２Ｕは、支承片１３の下面に当接する位置、又は、支承片１３の下面との間に約０．１ｍｍ〜約１ｍｍ程度の間隔を確保し、支承片１３が外壁板２を支承することによって下方に撓む場合に第２当接部５４２の上端部５４２Ｕが支承片１３の下面に当接可能な位置に配置され、支承片１３を支持している。
【０１１８】
このような構成である実施の形態５の取付具５１０及び外装構造でも、実施の形態１〜４の取付具１０、２１０、３１０、４１０及び外装構造と同様に、取付具５１０の変形を防止して外壁板２を安定して支持でき、ひいては、外壁板２同士の隙間から雨水が浸入する不具合を抑制できる。
【０１１９】
（実施の形態６）
以上述べた実施の形態１〜５は支承片１３が一体となって形成されているが、この構成には限定されない。図示は省略するが、支承片１３は、第１係止部１１Ｌが接続する部分と、第２係止部１２が接続する部分と、第１係止部１１Ｒが接続する部分とが分離していてもよい。この場合、支承片１３上に侵入した雨水が第１係止部１１Ｌ、１１Ｒ、第２係止部１２ごとに分離されている支承片１３の隙間を伝わって下方に流れるので、その雨水が支承片１３を伝わって幅方向に広がることを抑制できる。
【０１２０】
以上において、本発明の形態を実施の形態１〜６に即して説明したが、本発明の形態は上記実施の形態１〜６に制限されるものではなく、その趣旨を逸脱しない範囲で適宜変更して適用できることはいうまでもない。
【０１２１】
実施の形態１において、立設片４９は、折り返し部４０における第２当接部４２よりも下方に位置する部分に形成されているが、この構成には限定されない。例えば、立設片４９は、第２当接部４２の一部が切り起こされることによって形成されてもよいし、第２当接部４２と、第２当接部４２よりも下方に位置する部分とに形成されてもよい。
【０１２２】
実施の形態１では、第１方向が上向きであり、第２方向が下向きであり、第１係止片１１Ｌ、１１Ｒが上を向き、第２係止片１２が下を向いているが、この構成には限定されない。例えば、第１方向が下向きであり、第２方向が上向きであり、第１係止片が下を向き、第２係止片が上を向いていてもよい。
【符号の説明】
【０１２３】
８…構造体
２…外装材（外壁板）
１０、２１０、３１０、４１０、５１０…取付具
１５Ｓ…基準面
１５…固定部
１３…支承片
１１Ｌ、１１Ｒ…第１係止片
１２…第２係止片
２Ｂ…外装材の裏面（外壁板の裏面）
３１、２３１…第１当接部
４２、４４２Ｌ、４４２Ｒ、５４２…第２当接部
４０、４４０Ｌ、４４０Ｒ、５４０…折り返し部
４２Ｕ、４４２ＬＵ、４４２ＲＵ、５４２Ｕ…第２当接部における第１方向に位置する端部（第２当接部の上端部）
１５Ｄ…固定部における第２方向に位置する端部（固定部の下端部）
４１…屈曲部
３０、２３０Ａ、２３０Ｂ、２３０Ｃ…膨出部
３１Ａ、２３１Ａ…第１面
１５Ｌ…固定部における第３方向に位置する端部（固定部の左端部）
１５Ｒ…固定部における第４方向に位置する端部（固定部の右端部）
３８Ｌ、３８Ｒ…一対の側板部
３１Ｂ…第２面
２３１Ｃ…第３面
４９…立設片
【図１】
2018009325.tif 000003
【図２】
2018009325.tif 000004
【図３】
2018009325.tif 000005
【図４】
2018009325.tif 000006
【図５】
2018009325.tif 000007
【図６】
2018009325.tif 000008
【図７】
2018009325.tif 000009
【図８】
2018009325.tif 000010
【図９】
2018009325.tif 000011
【図１０】
2018009325.tif 000012
【図１１】
2018009325.tif 000013
【図１２】
2018009325.tif 000014
【図１３】
2018009325.tif 000015
【図１４】
2018009325.tif 000016
【図１５】
2018009325.tif 000017
【図１６】
2018009325.tif 000018
【図１７】
2018009325.tif 000019
【図１８】
2018009325.tif 000020
【図１９】
2018009325.tif 000021
【図２０】
2018009325.tif 000022
【図２１】
2018009325.tif 000023